(57)【特許請求の範囲】
【請求項１】
圧縮されたビデオ信号である圧縮ビデオ信号を復号化する復号化装置であって、
前記圧縮ビデオ信号になされた圧縮処理の履歴情報を、前記圧縮ビデオ信号と共に入力する入力手段と、
前記入力手段により入力された圧縮ビデオ信号を復号化する復号化手段と、
前記復号化手段により得られたビデオ信号について、通常再生時における再生速度と異なる再生速度の変速再生が行われた際に、前記入力手段により入力された履歴情報を、この履歴情報が不連続とならないようにして更新する履歴情報更新手段と、
前記復号化手段により得られたビデオ信号と共に前記履歴情報更新手段により更新された履歴情報を出力する出力手段と
を備えたことを特徴とする復号化装置。
【請求項２】
前記履歴情報は、圧縮処理の種類を示す情報（ピクチャタイプ）を含む
ことを特徴とする請求項１記載の復号化装置。
【請求項３】
前記履歴情報は、圧縮処理に関連した画面グループであるＧＯＰ（グループオブピクチャ）内におけるどの画面かを示す情報を含む
ことを特徴とする請求項１記載の復号化装置。
【請求項４】
前記出力手段は、前記履歴情報更新手段により更新された履歴情報を、前記復号化手段により得られたビデオ信号に多重化して出力する
ことを特徴とする請求項１記載の復号化装置。
【請求項５】
圧縮されたビデオ信号である圧縮ビデオ信号を復号化する復号化方法であって、
前記圧縮ビデオ信号になされた圧縮処理の履歴情報を、前記圧縮ビデオ信号と共に入力する入力ステップと、
前記入力ステップで入力された圧縮ビデオ信号を復号化する復号化ステップと、
前記復号化ステップで得られたビデオ信号について、通常再生時における再生速度と異なる再生速度の変速再生が行われた際に、前記入力ステップで入力された履歴情報を、この履歴情報が不連続とならないようにして更新する履歴情報更新ステップと、
前記復号化ステップで得られたビデオ信号と共に前記履歴情報更新ステップで更新された履歴情報を出力する出力ステップと
を含むことを特徴とする復号化方法。
【発明の詳細な説明】
【０００１】
【発明の属する技術分野】
本発明は、圧縮されたビデオ信号を復号化して伸張する復号化装置および復号化方法に関する。
【０００２】
【従来の技術】
ビデオ信号を圧縮して記録すると共に、再生時には圧縮されたビデオ信号を伸張して出力するディジタルＶＴＲ（ビデオテープレコーダ）やＡＶ（オーディオビデオ）サーバ等のシステムは、ビデオ信号を符号化して圧縮する画像符号化装置と、圧縮されたビデオ信号を復号化して伸張する圧縮画像復号化装置とを含んでいる。
【０００３】
ここで、ビデオ信号の圧縮の方法としては、例えばＭＰＥＧ（Moving Picture Experts Group）規格で採用されている双方向予測符号化方式がある。この双方向予測符号化方式では、フレーム内符号化、フレーム間順方向予測符号化および双方向予測符号化の３種類の符号化が行われ、各種類の符号化による画像は、それぞれＩピクチャ、ＰピクチャおよびＢピクチャと呼ばれている。また、この方式では、Ｉピクチャが少なくとも１枚入った画面グループをＧＯＰ（グループオブピクチャ）として規定し、このＧＯＰを単位としてアクセスすることで、ランダムアクセスを可能としている。
【０００４】
【発明が解決しようとする課題】
ところで、画像符号化装置では、入力ビデオ信号を符号化して圧縮する際、圧縮されたビデオ信号と共に圧縮処理の履歴情報を出力する。この履歴情報には、例えば、画像がＢピクチャか、Ｐピクチャか、Ｉピクチャかを示す情報や、画像がＧＯＰ内のどのフレームかを示す情報が含まれる。
【０００５】
また、画像符号化装置では、入力ビデオ信号を例えば４：２：２スタジオプロファイルに基づいて符号化して圧縮する場合、入力ビデオ信号が過去に圧縮された履歴のある場合には、その履歴に応じて最善の圧縮処理、例えば過去に行われた圧縮処理と同じ圧縮処理を適応的に行うことが望ましい。それは、圧縮処理によって程度の差はあるが画質劣化が生じるが、過去に圧縮された履歴のある場合には、過去に行われた圧縮処理と同じ圧縮処理を行った方が、過去に行われた圧縮処理と異なる圧縮処理を行う場合に比べて画質劣化が少なくなるからである。そこで、圧縮されたビデオ信号の記録，再生を行うシステムにおいて、画像符号化装置では、圧縮したビデオ信号と共に圧縮処理の履歴情報を出力し、圧縮画像復号化装置では、圧縮された入力ビデオ信号を復号化して伸張する際に、伸張したビデオ信号と共に圧縮処理の履歴情報を出力し、更に、この伸張されたビデオ信号を画像符号化装置によって再度圧縮する際には、後段の画像符号化装置では、入力ビデオ信号と共に入力される圧縮処理の履歴情報に基づいて、過去に行われた圧縮処理と同じ圧縮処理等の最善の圧縮処理を適応的に行うように構成することが考えられる。
【０００６】
ところが、上述のような圧縮画像復号化装置を、通常再生の他に、ジョグ再生（コマ送り再生，スロー再生）やバリアブル再生（変速再生）等、通常再生時における再生速度と異なる再生速度の変速再生を行う機能を有する画像再生装置に用いた場合には、変速再生時に圧縮処理の履歴情報が不連続（不規則）となってしまう場合が発生する。このように圧縮処理の履歴情報が不連続となると、この圧縮画像復号化装置より出力されるビデオ信号を、後段の画像符号化装置によって再度圧縮し記録等する場合に、後段の画像符号化装置では、圧縮処理の履歴情報に基づいた適応的な圧縮処理が乱されてしまい、画質劣化が発生してしまうという問題点がある。
【０００７】
本発明はかかる問題点に鑑みてなされたもので、その目的は、後段の符号化装置において圧縮処理の履歴情報に基づいた適応的な圧縮処理を行うことを可能とすると共に、変速再生時に、圧縮処理の履歴情報が不連続となって後段の符号化装置において圧縮処理の履歴情報に基づいた適応的な圧縮処理が乱されることを防止して、画質劣化を防止することができるようにした復号化装置および復号化方法を提供することにある。
【０００８】
【課題を解決するための手段】
本発明の復号化装置は、圧縮されたビデオ信号である圧縮ビデオ信号を復号化するものであって、この圧縮ビデオ信号になされた圧縮処理の履歴情報を、圧縮ビデオ信号と共に入力する入力手段と、この入力手段により入力された圧縮ビデオ信号を復号化する復号化手段と、この復号化手段により得られたビデオ信号について、通常再生時における再生速度と異なる再生速度の変速再生が行われた際に、上記入力手段により入力された履歴情報を、この履歴情報が不連続とならないようにして更新する履歴情報更新手段と、上記復号化手段により得られたビデオ信号と共に履歴情報更新手段により更新された履歴情報を出力する出力手段とを備えたものである。
本発明の復号化方法は、圧縮されたビデオ信号である圧縮ビデオ信号を復号化するものであって、この圧縮ビデオ信号になされた圧縮処理の履歴情報を、圧縮ビデオ信号と共に入力する入力ステップと、この入力ステップで入力された圧縮ビデオ信号を復号化する復号化ステップと、この復号化ステップで得られたビデオ信号について、通常再生時における再生速度と異なる再生速度の変速再生が行われた際に、上記入力ステップで入力された履歴情報を、この履歴情報が不連続とならないようにして更新する履歴情報更新ステップと、上記復号化ステップで得られたビデオ信号と共に履歴情報更新ステップで更新された履歴情報を出力する出力ステップとを含むようにしたものである。
【０００９】
本発明の復号化装置および復号化方法では、圧縮処理の履歴情報が圧縮ビデオ信号と共に入力され、この圧縮ビデオ信号が復号化される。また、得られたビデオ信号について変速再生が行われた際には、入力された履歴情報が不連続とならないようにして更新され、この更新された履歴情報が、ビデオ信号と共に出力される。
【００１０】
【発明の実施の形態】
以下、本発明の実施の形態について図面を参照して詳細に説明する。図１は本発明の一実施の形態に係る圧縮画像復号化装置を示すブロック図である。この圧縮画像復号化装置は、圧縮されたビデオ信号を伸張して再生すると共に、通常再生およびこの通常再生時における再生速度と異なる再生速度の変速再生を行う機能を有する画像再生装置に用いられるものである。この圧縮画像復号化装置には圧縮されたビデオ信号が入力されるようになっている。この圧縮されたビデオ信号は、圧縮されてハードディスクやビデオテープ等の記録媒体に記録されたビデオ信号を、図示しない再生部で再生し、ＥＣＣ（誤り訂正符号）デコーダによって誤り訂正した後のディジタルのビデオ信号であり、ここでは、シリアルディジタルデータインタフェース（以下、ＳＤＤＩと記す。）フォーマットと呼ばれる信号フォーマットに従ったビデオ信号とする。
【００１１】
図１に示した圧縮画像復号化装置は、上記のＳＤＤＩフォーマットのビデオ信号１０を入力し、デコードするＳＤＤＩデコーダ１１と、このＳＤＤＩデコーダ１１の出力データを入力し、復号化して伸張するビデオＢＲＲ（ビット・レート・リダクション）デコーダ１２と、このビデオＢＲＲデコーダ１２の出力データを入力し、ジョグ再生（コマ送り再生，スロー再生）やバリアブル再生（変速再生）等、通常再生時における再生速度と異なる再生速度の変速再生の制御を行うジョグメモリコントローラ１３と、このジョグメモリコントローラ１３に接続され、変速再生の際に使用されるメモリであるビデオジョグメモリ１４と、ジョグメモリコントローラ１３の出力データを入力し、ゲインや色の調整等の処理を行うビデオプロセッサ１５と、このビデオプロセッサ１５の出力データを入力し、時間軸情報であるタイムコードをビデオ信号の垂直方向の空き領域に挿入して、ビデオ信号１７を出力するＶＩＴＣ（バーチカル・インターバル・タイム・コード）挿入部１６と、ＳＤＤＩデコーダ１１，ビデオＢＲＲデコーダ１２，ジョグメモリコントローラ１３，ビデオプロセッサ１５およびＶＩＴＣ挿入部１６を制御するシステムコントロール部１８とを備えている。
【００１２】
図１に示した圧縮画像復号化装置において、ビデオＢＲＲデコーダ１２は、例えば８ビットの伸張されたビデオ信号１２ａと共に制御信号ＣＦＩｎｆｏ１２ｂを後段に出力するようになっている。なお、制御信号ＣＦＩｎｆｏに含まれる情報は、ＳＤＤＩフォーマットのビデオ信号１０中に含まれているものである。同様に、ジョグメモリコントローラ１３およびビデオプロセッサ１５も、それぞれ例えば８ビットのビデオ信号１３ａ，１５ａと共に制御信号ＣＦＩｎｆｏ１３ｂ，１５ｂを後段に出力するようになっている。
【００１３】
図３は、制御信号ＣＦＩｎｆｏのタイミングを示すタイミングチャートである。この図に示すように、制御信号ＣＦＩｎｆｏは、１ビットのシリアル信号であり、時系列的に配列された０ビット目から１９ビット目までの２０ビットで構成されている。制御信号ＣＦＩｎｆｏは、水平同期信号ＨＤの立下がりのタイミングで０ビット目が開始するようになっている。
【００１４】
図４は、制御信号ＣＦＩｎｆｏの内容を示す説明図である。この図に示すように、０ビット目〜２ビット目は、それぞれＣＦ２（カラーフレーム２），ＣＦ１（カラーフレーム１），ＣＦ０（カラーフレーム０）と呼ばれ、このうち、ＣＦ２，ＣＦ１はクロマ信号の位相を表し、ＣＦ０は第１フィールドか第２フィールドを示す。３ビット目は、Ｈ（ハイ）のときはコンポジット信号、Ｌ（ロー）のときはコンポーネント信号を示す。４ビット目は、Ｈのときビデオインデックスにエラーがあることを示す。５ビット目は、Ｈのときビデオインデックスを含むラインであることを示す。なお、ビデオインデックスとは、ディジタルビデオ信号における垂直ブランキング期間中の所定のラインのデータとして挿入される制御データである。６ビット目は、Ｈのときビデオアンシラリデータにエラーがあることを示す。７ビット目は、Ｈのときビデオアンシラリデータを含むラインであることを示す。なお、ビデオアンシラリデータとは、ディジタルビデオ信号における垂直ブランキング期間中の所定のラインのデータとして挿入することのできる補助データである。８ビット目は、Ｈのときアスペクト比が１６：９であることを示す。９ビット目は、記録イネーブルと呼ばれ、Ｈのとき、記録するＧＯＰであることを示す。１０ビット目は、画スイッチと呼ばれるフラグであり、編集機等において編集を１フレーム単位で行う場合に、再生画と入力画をスイッチする場合の切れを目を示す。１１ビット目は、フレームディレイと呼ばれるフラグであり、単純スイッチ編集においてスイッチ時の１フレーム前の画像を１フレームディレイして出力することを示す。１２ビット目〜１４ビット目は、ＢＰＩ［２］〜［０］と呼ばれ、これら３ビットによって、圧縮処理の種類すなわち、オリジナルの画像か、Ｂピクチャか、Ｐピクチャか、Ｉピクチャかを示す。１５ビット目〜１９ビット目は、ＧＯＰフレーム番号［４］〜［０］と呼ばれ、これら５ビットで表されるＧＯＰフレーム番号は、ＧＯＰ内におけるどのフレームかを示す。以上の制御信号ＣＦＩｎｆｏのうち、１２ビット目〜１９ビット目が圧縮処理の履歴情報としての履歴ＧＯＰ情報である。また、履歴ＧＯＰ情報は、ディジタルビデオ信号中のビデオインデックスによっても伝送される。
【００１５】
図２は、図１におけるジョグメモリコントローラ１３の要部の構成を示すブロック図である。このジョグメモリコントローラ１３は、ビデオＢＲＲデコーダ１２からのビデオ信号１２ａおよび制御信号ＣＦＩｎｆｏ１２ｂを入力し、これらのデータを例えば８ビットのデータに加工してビデオジョグメモリ１４に書き込むと共に、ビデオジョグメモリ１４に書き込まれたデータを読み出してビデオ信号２１ａおよび制御信号ＣＦＩｎｆｏ２１ｂに加工して出力するデータプロセッサ２１を備えている。このデータプロセッサ２１におけるビデオジョグメモリ１４に対するデータの書き込み，読み出しアドレスは、ユーザの要求する再生速度に応じてシステムコントロール部１８によって制御されるようになっており、これにより、通常再生および変速再生が実現されるようになっている。
【００１６】
ジョグメモリコントローラ１３は、更に、ビデオＢＲＲデコーダ１２からのビデオ信号１２ａとデータプロセッサ２１からのビデオ信号２１ａの一方を選択的に出力するスイッチ２２と、ビデオＢＲＲデコーダ１２からの制御信号ＣＦＩｎｆｏ１２ｂとデータプロセッサ２１からの制御信号ＣＦＩｎｆｏ２１ｂの一方を選択的に出力するスイッチ２３とを備えている。ジョグメモリコントローラ１３は、更に、スイッチ２３より出力される制御信号ＣＦＩｎｆｏを入力し、ＧＯＰフレーム番号を検出すると共に、ＧＯＰフレーム番号が“０”のタイミングでリセットパルスを発生してリセットパルス出力端より出力するＧＯＰフレーム番号検出・リセットパルス発生部２４と、ＧＯＰフレーム番号として使用される数値をカウント値として出力すると共に、リセットパルス入力端に入力されるリセットパルスによってリセットされるカウンタ２５と、ＧＯＰフレーム番号検出・リセットパルス発生部２４のリセットパルス出力端とカウンタ２５のリセットパルス入力端との間に設けられ、両端間を接断するスイッチ２６と、スイッチ２３より出力される制御信号ＣＦＩｎｆｏとカウンタ２５の出力とを用いて新たに履歴ＧＯＰ情報を作成し、制御信号ＣＦＩｎｆｏ中の履歴ＧＯＰ情報部分を加工するための履歴ＧＯＰ情報加工部２７と、スイッチ２２より出力されるビデオ信号に対して、履歴ＧＯＰ情報加工部２７によって新たに作成された履歴ＧＯＰ情報を挿入するための履歴ＧＯＰ情報挿入部２８とを備えている。
【００１７】
スイッチ２２，２３は、システムコントロール部１８によって、同期して切り換えられ、ビデオＢＲＲデコーダ１２からのビデオ信号１２ａおよび制御信号ＣＦＩｎｆｏ１２ｂ、またはデータプロセッサ２１からのビデオ信号２１ａおよび制御信号ＣＦＩｎｆｏ２１ｂを選択的に出力するようになっている。スイッチ２６は、通常再生時はオン、変速再生時はオフとなるように、システムコントロール部１８によって切り換えられるようになっている。カウンタ２５には、システムコントロール１８によって、ＧＯＰを構成するフレーム数に対応して、カウント値の最大値が設定されるようになっている。履歴ＧＯＰ情報加工部２７は、新たに作成した履歴ＧＯＰ情報を履歴ＧＯＰ情報挿入部２８に送ると共に、ビデオプロセッサ１５に送る制御信号ＣＦＩｎｆｏ１３ｂを出力するようになっている。また、履歴ＧＯＰ情報加工部２７は、システムコントロール部１８によって、新たに作成した履歴ＧＯＰ情報を使用するか否かが切り換えられるようになっている。履歴ＧＯＰ情報挿入部２８は、ビデオプロセッサ１５に送るビデオ信号１３ａを出力するようになっている。また、履歴ＧＯＰ情報挿入部２８は、システムコントロール部１８によって、スイッチ２２より出力されるビデオ信号に対して履歴ＧＯＰ情報加工部２７によって新たに作成された履歴ＧＯＰ情報を挿入するか否かが切り換えられると共に、挿入する場合には、ビデオインデックス中の履歴ＧＯＰ情報を書き換えるようにして、新たに作成された履歴ＧＯＰ情報をビデオ信号に対して挿入するようになっている。
【００１８】
次に、本実施の形態に係る圧縮画像復号化装置の動作について説明する。図１に示した圧縮画像復号化装置において、ＳＤＤＩフォーマットのビデオ信号１０は、ＳＤＤＩデコーダ１１によってデコードされ、このＳＤＤＩデコーダ１１の出力データが、ビデオＢＲＲデコーダ１２によって復号化され伸張されて、ビデオ信号１２ａおよび制御信号ＣＦＩｎｆｏ１２ｂが出力され、このビデオ信号１２ａおよび制御信号ＣＦＩｎｆｏ１２ｂがジョグメモリコントローラ１３に入力される。なお、ビデオＢＲＲデコーダ１２は、入力データ中に含まれる履歴ＧＯＰ情報に従って、入力データの伸張処理を行う。ジョグメモリコントローラ１３によって後述する処理が施されて出力されるビデオ信号１３ａおよび制御信号ＣＦＩｎｆｏ１３ｂは、ビデオプロセッサ１５によってゲインや色の調整等の処理が施され、ビデオ信号１５ａおよび制御信号ＣＦＩｎｆｏ１５ｂとしてＶＩＴＣ挿入部１６に入力される。ＶＩＴＣ挿入部１６は、ビデオ信号１５ａにタイムコードを挿入して、ビデオ信号１７として出力する。
【００１９】
図２に示したジョグメモリコントローラ１３では、入力されたビデオ信号１２ａおよび制御信号ＣＦＩｎｆｏ１２ｂは、それぞれスイッチ２２，スイッチ２３に入力されると共に、データプロセッサ２１に入力される。システムコントロール部１８の制御により、スイッチ２２，２３がビデオ信号１２ａおよび制御信号ＣＦＩｎｆｏ１２ｂ側を選択しているときには、入力されたビデオ信号１２ａはデータプロセッサ２１を経由せずに履歴ＧＯＰ情報挿入部２８に入力され、また、入力された制御信号ＣＦＩｎｆｏ１２ｂもデータプロセッサ２１を経由せずにＧＯＰフレーム番号検出・リセットパルス発生部２４および履歴ＧＯＰ情報加工部２７に入力される。一方、スイッチ２２，２３がデータプロセッサ２１からのビデオ信号２１ａおよび制御信号ＣＦＩｎｆｏ２１ｂ側を選択しているときには、データプロセッサ２１からのビデオ信号２１ａが履歴ＧＯＰ情報挿入部２８に入力され、また、データプロセッサ２１からの制御信号ＣＦＩｎｆｏ２１ｂがＧＯＰフレーム番号検出・リセットパルス発生部２４および履歴ＧＯＰ情報加工部２７に入力される。データプロセッサ２１は、ビデオ信号１２ａおよび制御信号ＣＦＩｎｆｏ１２ｂを例えば８ビットのデータに加工してビデオジョグメモリ１４に書き込むと共に、ビデオジョグメモリ１４に書き込まれたデータを読み出してビデオ信号２１ａおよび制御信号ＣＦＩｎｆｏ２１ｂに加工して出力する。データプロセッサ２１におけるビデオジョグメモリ１４に対するデータの書き込み，読み出しアドレスは、ユーザの要求する再生速度に応じてシステムコントロール部１８によって制御され、これにより、通常再生および変速再生が実現される。
【００２０】
ＧＯＰフレーム番号検出・リセットパルス発生部２４は、スイッチ２３より出力される制御信号ＣＦＩｎｆｏを入力し、ＧＯＰフレーム番号を検出すると共に、検出したＧＯＰフレーム番号が“０”のタイミングでリセットパルスを発生してリセットパルス出力端より出力する。例えば、ＧＯＰが２フレームで構成されているときには、ＧＯＰフレーム番号は“０”，“１”，“０”，“１”，…の繰り返しであり、ＧＯＰフレーム番号検出・リセットパルス発生部２４は、ＧＯＰフレーム番号が“０”のタイミングでリセットパルスを発生する。
【００２１】
通常再生時には、システムコントロール部１８の制御により、スイッチ２６はオンとなっており、カウンタ２５は、ＧＯＰフレーム番号検出・リセットパルス発生部２４から出力されるリセットパルスによってリセットされながら、フレームの周期に同期してカウント動作を行う。従って、例えば、ＧＯＰが２フレームで構成されているときには、カウンタ２５のカウント値は、ＧＯＰフレーム番号検出・リセットパルス発生部２４で検出されたＧＯＰフレーム番号と同様に、“０”，“１”，“０”，“１”，…の繰り返しとなる。
【００２２】
変速再生時には、スイッチ２３より出力される制御信号ＣＦＩｎｆｏにおけるＧＯＰフレーム番号は不連続（不規則）となり、意味を持たなくなる。そこで、変速再生時には、システムコントロール部１８の制御により、スイッチ２６はオフにされる。カウンタ２５には、システムコントロール１８によって、ＧＯＰを構成するフレーム数に対応して、カウント値の最大値が設定されているので、スイッチ２６がオフにされると、カウンタ２５は、ＧＯＰフレーム番号検出・リセットパルス発生部２４から出力されるリセットパルスとは無関係に、スイッチ２６がオンであったときのシーケンスを保つようにフライホイールのかかったカウント動作を続ける。例えば、ＧＯＰが２フレームで構成されているときには、スイッチ２６はオフにされる前と連続するように、カウンタ２５のカウント値は“０”，“１”，“０”，“１”，…の繰り返しとなる。このカウンタ２５より出力されるカウント値は、履歴ＧＯＰ情報加工部２７によって新たに作成される履歴ＧＯＰ情報におけるフレーム番号に対応する。
【００２３】
通常再生時には、履歴ＧＯＰ情報加工部２７は、システムコントロール部１８の制御により、新たに作成した履歴ＧＯＰ情報を使用しないようになっている。すなわち、履歴ＧＯＰ情報加工部２７は、スイッチ２３より出力される制御信号ＣＦＩｎｆｏをそのまま制御信号ＣＦＩｎｆｏ１３ｂとして出力する。また、通常再生時には、履歴ＧＯＰ情報挿入部２８は、システムコントロール部１８の制御により、スイッチ２２より出力されるビデオ信号に対して履歴ＧＯＰ情報加工部２７によって新たに作成される履歴ＧＯＰ情報を挿入せずに、ビデオ信号１３ａとして出力する。
【００２４】
一方、変速再生時には、履歴ＧＯＰ情報加工部２７は、システムコントロール部１８の制御により、スイッチ２３より出力される制御信号ＣＦＩｎｆｏとカウンタ２５の出力とを用いて新たに履歴ＧＯＰ情報を作成し、制御信号ＣＦＩｎｆｏ中の履歴ＧＯＰ情報部分を加工して、制御信号ＣＦＩｎｆｏ１３ｂを出力すると共に、履歴ＧＯＰ情報挿入部２８に対して、新たに作成した履歴ＧＯＰ情報を送る。具体的には、履歴ＧＯＰ情報加工部２７は、図４におけるＢＰＩ［２］〜［０］を、オリジナルの画像を示すように、全て“０”とすると共に、ＧＯＰフレーム番号［４］〜［０］に、カウンタ２５のカウント値を書き込む。また、変速再生時には、履歴ＧＯＰ情報挿入部２８は、システムコントロール部１８の制御により、スイッチ２２より出力されるビデオ信号中のビデオインデックスに、履歴ＧＯＰ情報加工部２７によって新たに作成された履歴ＧＯＰ情報を、書き換えて挿入して、ビデオ信号１３ａを出力する。
【００２５】
制御信号ＣＦＩｎｆｏおよびビデオ信号中のビデオインデックスによって伝送される履歴ＧＯＰ情報は、最終的には、ＶＩＴＣ挿入部１６より出力されるビデオ信号１７内に挿入されて、後段に出力される。本実施の形態に係る圧縮画像復号化装置より出力されるビデオ信号１７を、後段の画像符号化装置によって再度圧縮して記録等を行う場合には、後段の画像符号化装置では、入力ビデオ信号と共に入力される履歴ＧＯＰ情報に基づいて、過去に行われた圧縮処理と同じ圧縮処理等の最善の圧縮処理を適応的に行うことができる。
【００２６】
以上説明したように本実施の形態に係る圧縮画像復号化装置によれば、ジョグメモリコントローラ１３において、通常再生時には、ビデオ信号と共に入力される履歴ＧＯＰ情報をそのまま出力し、変速再生時には、履歴ＧＯＰ情報が不連続とならないように新たに履歴ＧＯＰ情報を作成して出力するようにしたので、後段の画像符号化装置において履歴ＧＯＰ情報に基づいた適応的な圧縮処理を行うことを可能とするとともに、変速再生時に、履歴ＧＯＰ情報が不連続となって後段の画像符号化装置において履歴ＧＯＰ情報に基づいた適応的な圧縮処理が乱されることを防止でき、画質劣化を防止することができる。
【００２７】
なお、本発明は上記実施の形態に限定されず、例えば、上記実施の形態では、圧縮処理の履歴情報としての履歴ＧＯＰ情報を、制御信号ＣＦＩｎｆｏとビデオ信号中のビデオインデックスによって伝送するようにしたが、圧縮処理の履歴情報の伝送方法は、これらに限らず、適宜に設計することができる。
【００２８】
【発明の効果】
以上説明したように本発明の復号化装置または復号化方法によれば、変速再生時には、復号化して得られたビデオ信号と共に、履歴情報が不連続とならないようにして更新された圧縮処理の履歴情報を出力するようにしたので、後段の符号化装置において圧縮処理の履歴情報に基づいた適応的な圧縮処理を行うことを可能とすると共に、変速再生時に、圧縮処理の履歴情報が不連続となって後段の符号化装置において圧縮処理の履歴情報に基づいた適応的な圧縮処理が乱されることを防止して、画質劣化を防止することができるという効果を奏する。
【図面の簡単な説明】
【図１】本発明の一実施の形態に係る圧縮画像復号化装置を示すブロック図である。
【図２】図１におけるジョグメモリコントローラの要部の構成を示すブロック図である。
【図３】図１における制御信号のタイミングを示すタイミングチャートである。
【図４】図１における制御信号の内容を示す説明図である。
【符号の説明】
１１…ＳＤＤＩデコーダ、１２…ビデオＢＲＲデコーダ、１３…ジョグメモリコントローラ、１４…ビデオジョグメモリ、１８…システムコントロール部、２１…データプロセッサ、２４…ＧＯＰフレーム番号検出・リセットパルス発生部、２５…カウンタ、２６…スイッチ、２７…履歴ＧＯＰ情報加工部、２８…履歴ＧＯＰ情報挿入部
【図１】
0003775525.tif 000002
【図２】
0003775525.tif 000003
【図３】
0003775525.tif 000004
【図４】
0003775525.tif 000005